(57)【特許請求の範囲】
【請求項１】
一方向に延在するように並設された複数の共通駆動電極と、
画素信号および表示駆動信号に基づいて表示を行う表示素子と、
タッチ検出駆動信号に基づいて外部近接物体を検出するタッチ検出素子と、
前記表示駆動信号を前記複数の共通駆動電極に時分割的に順次印加する第１の走査駆動と、前記第１の走査駆動と異なる走査速度をもって、前記タッチ検出駆動信号を前記複数の共通駆動電極に時分割的に順次印加する第２の走査駆動とを行うとともに、その第１および第２の走査駆動の対象として選択されていない前記共通駆動電極に直流電位を印加する走査駆動部と
を備え、
前記タッチ検出駆動信号は、前記表示素子に対して前記画素信号が印加される期間において前記直流電位に保たれた直流部分と、前記画素信号の印加期間以外の期間におけるパルス部分とを含む
タッチ検出機能付き表示装置。
【請求項２】
前記走査駆動部は、交流信号を伝える第１のスイッチを有し、
前記第１の走査駆動において、前記第１のスイッチをオン状態にすることにより、前記交流信号を前記表示駆動信号として前記共通駆動電極に印加し、
前記第２の走査駆動において、前記第１のスイッチを前記画素信号の印加期間以外の期間においてオン状態にすることにより、前記タッチ検出駆動信号の前記パルス部分を生成し前記共通駆動電極に印加する
請求項１に記載のタッチ検出機能付き表示装置。
【請求項３】
前記走査駆動部は、前記直流電位を伝える第２のスイッチをさらに有し、
前記第２のスイッチを前記画素信号の印加期間においてオン状態にすることにより、前記タッチ検出駆動信号の前記直流部分を生成し前記共通駆動電極に印加する
請求項２に記載のタッチ検出機能付き表示装置。
【請求項４】
前記走査駆動部は、前記第２のスイッチをオン状態にすることにより、前記直流電位を前記共通駆動電極に印加する
請求項３に記載のタッチ検出機能付き表示装置。
【請求項５】
前記タッチ検出素子は、外部近接物体の近接もしくは接触に基づく静電容量の変化を利用してその外部近接物体を検出する
請求項３に記載のタッチ検出機能付き表示装置。
【請求項６】
前記表示駆動信号は矩形波信号である
請求項３に記載のタッチ検出機能付き表示装置。
【請求項７】
前記直流電位は、前記表示駆動信号の電圧の時間平均値に等しい
請求項６に記載のタッチ検出機能付き表示装置。
【請求項８】
前記走査駆動部は、前記表示駆動信号の遷移の前後にまたがるパルスを含むマスク信号に基づいて、前記タッチ検出駆動信号を生成する。
請求項３に記載のタッチ検出機能付き表示装置。
【請求項９】
一方向に延在するように並設された複数の共通駆動電極と、画素信号および表示駆動信号に基づいて表示を行う表示素子と、タッチ検出駆動信号に基づいて外部近接物体を検出するタッチ検出素子とを備えたタッチ検出機能付き表示部に対して、前記表示駆動信号を前記複数の共通駆動電極に時分割的に順次印加する第１の走査駆動と、前記第１の走査駆動と異なる走査速度を有し、前記タッチ検出駆動信号を前記複数の共通駆動電極に時分割的に順次印加する第２の走査駆動とを行うとともに、その第１および第２の走査駆動の対象として選択されていない前記共通駆動電極に直流電位を印加する走査駆動部を備え、
前記タッチ検出駆動信号は、前記表示素子に対して前記画素信号が印加される期間において前記直流電位に保たれた直流部分と、前記画素信号の印加期間以外の期間におけるパルス部分とを含む
駆動回路。
【請求項１０】
一方向に延在するように並設された複数の共通駆動電極に表示駆動信号を時分割的に順次印加するとともに、前記表示駆動信号の印加に同期してその表示駆動信号の印加下にある共通駆動電極に対応した画素電極に画素信号を印加する動作を時分割的に順次行うことにより、前記画素信号および前記表示駆動信号に基づく表示を行う第１の走査駆動動作と、
前記画素信号の印加期間に対応する直流波形部と前記画素信号の非印加期間に対応するパルス波形部とを含む外部近接物体検出用のタッチ検出駆動信号を、前記複数の共通駆動電極に、前記第１の走査駆動動作とは異なる走査速度で時分割的に順次印加する第２の走査駆動動作と
を行い、
前記第１および第２の走査駆動動作の対象として選択されていない供給駆動電極には、前記タッチ検出駆動信号における前記直流波形部の電位を印加する
タッチ検出機能付き表示装置の駆動方法。
【請求項１１】
タッチ検出機能付き表示装置と、
前記タッチ検出機能付き表示装置を利用した動作制御を行う制御部と
を備え、
前記タッチ検出機能付き表示装置は、
一方向に延在するように並設された複数の共通駆動電極と、
画素信号および表示駆動信号に基づいて表示を行う表示素子と、
タッチ検出駆動信号に基づいて外部近接物体を検出するタッチ検出素子と、
前記表示駆動信号を前記複数の共通駆動電極に時分割的に順次印加する第１の走査駆動と、前記第１の走査駆動と異なる走査速度をもって、前記タッチ検出駆動信号を前記複数の共通駆動電極に時分割的に順次印加する第２の走査駆動とを行うとともに、その第１および第２の走査駆動が行われていない前記共通駆動電極に直流電位を印加する走査駆動部と
を有し、
前記タッチ検出駆動信号は、前記表示素子に対して前記画素信号が印加される期間において前記直流電位に保たれた直流部分と、前記画素信号の印加期間以外の期間におけるパルス部分とを含む
電子機器。
【発明の詳細な説明】
【技術分野】
【０００１】
本発明は、外部近接物体を検出可能な表示装置に係り、特に静電容量の変化に基づいてタッチを検出するタッチ検出機能付き表示装置およびその駆動方法、駆動回路、ならびにそのような表示装置を備えた電子機器に関する。
【背景技術】
【０００２】
近年、指等の外部近接物体を検出するタッチ検出機能を液晶表示装置等の表示装置に搭載し、その表示装置に各種のボタン画像等を表示させることにより、通常の機械式ボタンの代わりとして情報入力を可能とした表示装置が注目されている。このようなタッチ検出機能を有する表示装置は、キーボードやマウス、キーパッドのような入力装置を必要としないため、コンピュータのほか、携帯電話のような携帯情報端末などでも、使用が拡大する傾向にある。
【０００３】
タッチ検出方式にはいくつかの方式が存在するが、その一つとして静電容量式がある。例えば、特許文献１には、表示装置にもともと備えられている表示用の共通電極を、一対のタッチセンサ用電極のうちの一方として兼用し、他方の電極（タッチ検出電極）をこの共通電極と交差するように配置した表示装置が提案されている。この共通電極とタッチ検出電極との間には静電容量が形成され、外部近接物体に応じてその静電容量が変化する。この表示装置は、これを利用して、共通電極にタッチ検出用の駆動信号を印加したときにタッチ検出電極に現れるタッチ検出信号を解析することにより、外部近接物体を検出するようになっている。この表示装置では、共通電極に駆動信号を順次印加し、線順次走査を行うことにより表示動作が行われるとともに、その駆動信号に応じてタッチ検出電極に現れるタッチ検出信号を解析することによりタッチ検出動作が行われる。
【先行技術文献】
【特許文献】
【０００４】
【特許文献１】特開２００９−２５８１８２号公報
【発明の概要】
【発明が解決しようとする課題】
【０００５】
ところで、表示動作用の駆動信号（表示駆動信号）とタッチ検出動作用の駆動信号（タッチ検出駆動信号）は、共用して常に同じ共通電極に印加するほか、別々の信号を互いに異なる共通電極に印加する場合も考えられる。このように別々の信号を用いる場合には、表示動作とタッチ検出動作とを非同期で行うことができ、それぞれを独立に行うことが可能となるので、動作の自由度を高くすることができる。具体的には、例えば、タッチ検出動作の走査周期を表示動作の走査周期よりも短くすることによる、いわゆる追い越し走査が可能となる。しかしながら、この追い越し走査では、画素信号が印加される水平ラインが、タッチ検出駆動信号が印加された共通電極の領域を横切るため、その水平ラインの表示が乱れる恐れがある。
【０００６】
本発明はかかる問題点に鑑みてなされたもので、その目的は、追い越し走査を行う際の表示の乱れを低減できるタッチ検出機能付き表示装置およびその駆動方法、駆動回路、ならびに電子機器を提供することにある。
【課題を解決するための手段】
【０００７】
本発明のタッチ検出機能付き表示装置は、複数の共通駆動電極と、表示素子と、タッチ検出素子と、走査駆動部とを備えている。複数の共通駆動電極は、一方向に延在するように並設されたものである。表示素子は、画素信号および表示駆動信号に基づいて表示を行うものである。タッチ検出素子は、タッチ検出駆動信号に基づいて外部近接物体を検出するものである。走査駆動部は、表示駆動信号を複数の共通駆動電極に時分割的に順次印加する第１の走査駆動と、第１の走査駆動と異なる走査速度をもって、タッチ検出駆動信号を複数の共通駆動電極に時分割的に順次印加する第２の走査駆動とを行うとともに、その第１および第２の走査駆動の対象として選択されていない共通駆動電極に直流電位を印加するものである。上記タッチ検出駆動信号は、表示素子に対して画素信号が印加される期間において直流電位に保たれた直流部分と、画素信号の印加期間以外の期間におけるパルス部分とを含んでいる。
【０００８】
本発明の駆動回路は、走査駆動部を備えている。走査駆動部は、一方向に延在するように並設された複数の共通駆動電極と、画素信号および表示駆動信号に基づいて表示を行う表示素子と、タッチ検出駆動信号に基づいて外部近接物体を検出するタッチ検出素子とを備えたタッチ検出機能付き表示部に対して、表示駆動信号を複数の共通駆動電極に時分割的に順次印加する第１の走査駆動と、第１の走査駆動と異なる走査速度を有し、タッチ検出駆動信号を複数の共通駆動電極に時分割的に順次印加する第２の走査駆動とを行うとともに、その第１および第２の走査駆動の対象として選択されていない共通駆動電極に直流電位を印加するものである。上記タッチ検出駆動信号は、表示素子に対して画素信号が印加される期間において直流電位に保たれた直流部分と、画素信号の印加期間以外の期間におけるパルス部分とを含んでいる。
【０００９】
本発明のタッチ検出機能付き表示装置の駆動方法は、一方向に延在するように並設された複数の共通駆動電極に表示駆動信号を時分割的に順次印加するとともに、表示駆動信号の印加に同期してその表示駆動信号の印加下にある共通駆動電極に対応した画素電極に画素信号を印加する動作を時分割的に順次行うことにより、画素信号および表示駆動信号に基づく表示を行う第１の走査駆動動作と、画素信号の印加期間に対応する直流波形部と画素信号の非印加期間に対応するパルス波形部とを含む外部近接物体検出用のタッチ検出駆動信号を、複数の共通駆動電極に、第１の走査駆動動作とは異なる走査速度で時分割的に順次印加する第２の走査駆動動作とを行い、第１および第２の走査駆動動作の対象として選択されていない供給駆動電極には、タッチ検出駆動信号における直流波形部の電位を印加するものである。
【００１０】
本発明の電子機器は、上記タッチ検出機能付き表示装置を備えたものであり、例えば、テレビジョン装置、デジタルカメラ、パーソナルコンピュータ、ビデオカメラあるいは携帯電話等の携帯端末装置などが該当する。
【００１１】
本発明のタッチ検出機能付き表示装置、駆動回路、駆動方法、および電子機器では、表示走査のための第１の走査駆動と、タッチ検出走査のための第２の走査駆動が行われる。その第２の走査駆動において共通駆動電極に印加されるタッチ検出駆動信号は、画素信号の印加期間において、第１および第２の走査駆動の対象として選択されていない共通駆動電極に印加される直流電位を有する直流部分を含んでいる。これにより、第１の走査駆動の対象となる駆動電極に隣接する駆動電極には、追い越し状態であるか否かに係らず、画素信号の印加期間において、常に同じ直流電位が印加される。
【００１２】
本発明のタッチ検出機能付き表示装置では、例えば、走査駆動部が交流信号を伝える第１のスイッチを有し、第１の走査駆動において、第１のスイッチをオン状態にすることにより、交流信号を表示駆動信号として共通駆動電極に印加し、第２の走査駆動において、第１のスイッチを画素信号の印加期間以外の期間においてオン状態にすることにより、タッチ検出駆動信号のパルス部分を生成し共通駆動電極に印加するようにすることが望ましい。また、例えば、走査駆動部は第２のスイッチをさらに有し、第２のスイッチを画素信号の印加期間においてオン状態にすることにより、タッチ検出駆動信号の直流部分を生成し共通駆動電極に印加するようにするのが望ましい。例えば、走査駆動部は第２のスイッチをオン状態にすることにより、直流電位を共通駆動電極に印加するのが望ましい。
【００１３】
タッチ検出素子は、例えば外部近接物体の近接もしくは接触に基づく静電容量の変化を利用してその外部近接物体を検出することが好ましい。例えば、表示駆動信号は矩形波信号が望ましい。この場合、直流電位は、例えば、表示駆動信号の電圧の時間平均値に等しいことが望ましい。走査駆動部は、例えば、表示駆動信号の遷移の前後にまたがるパルスを含むマスク信号に基づいて、タッチ検出駆動信号を生成するようにしてもよい。
【発明の効果】
【００１４】
本発明のタッチ検出機能付き表示装置およびその駆動方法、駆動回路、ならびに電子機器によれば、画素信号の印加期間において、走査駆動の対象として選択されていない共通駆動電極に印加される直流電位を有する直流部分を含むタッチ検出駆動信号を用いるようにしたので、追い越し走査を行う際の表示の乱れを低減できる。
【図面の簡単な説明】
【００１５】
【図１】本発明のタッチ検出機能付き表示装置におけるタッチ検出方式の基本原理を説明するための図であり、指が接触または近接していない状態を表す図である。
【図２】本発明のタッチ検出機能付き表示装置におけるタッチ検出方式の基本原理を説明するための図であり、指が接触または近接した状態を表す図である。
【図３】本発明のタッチ検出機能付き表示装置におけるタッチ検出方式の基本原理を説明するための図であり、駆動信号およびタッチ検出信号の波形の一例を表す図である。
【図４】本発明の実施の形態に係るタッチ検出機能付き表示装置の一構成例を表すブロック図である。
【図５】図４に示したタッチ検出機能付き表示デバイスの概略断面構造を表す断面図である。
【図６】図４に示したタッチ検出機能付き表示デバイスの画素配列を表す回路図である。
【図７】図４に示したタッチ検出機能付き表示デバイスの駆動電極およびタッチ検出電極の一構成例を表す斜視図である。
【図８】実施の形態に係る走査駆動部の一構成例を表すブロック図である。
【図９】図８に示した駆動信号バッファの一構成例を表す回路図である。
【図１０】図８に示した走査駆動部に係る入出力波形の一例を表すタイミング波形図である。
【図１１】図８に示した走査駆動部の一動作例を表す模式図である。
【図１２】図４に示したタッチ検出機能付き表示装置の一動作例を表すタイミング波形図である。
【図１３】図８に示した表示走査部の一動作例を表すタイミング波形図である。
【図１４】図８に示したタッチ検出走査部の一動作例を表すタイミング波形図である。
【図１５】図８に示した駆動部の一動作例を表すタイミング波形図である。
【図１６】図４に示したタッチ検出機能付き表示装置の一動作例を表す模式図である。
【図１７】図８に示した走査駆動部の一動作例を表すタイミング波形図である。
【図１８】図８に示した走査駆動部の他の動作例を表すタイミング波形図である。
【図１９】比較例に係る走査駆動部の動作例を表すタイミング波形図である。
【図２０】実施の形態を適用したタッチ検出機能付き表示装置のうち、適用例１の外観構成を表す斜視図である。
【図２１】適用例２の外観構成を表す斜視図である。
【図２２】適用例３の外観構成を表す斜視図である。
【図２３】適用例４の外観構成を表す斜視図である。
【図２４】適用例５の外観構成を表す正面図、側面図、上面図および下面図である。
【図２５】各実施の形態の変形例に係るタッチ検出機能付き表示デバイスの概略断面構造を表す断面図である。
【図２６】各実施の形態の変形例にかかわるタッチ検出機能付き表示装置の一動作例を表す模式図である。
【発明を実施するための形態】
【００１６】
以下、本発明の実施の形態について、図面を参照して詳細に説明する。なお、説明は以下の順序で行う。
１．静電容量式タッチ検出の基本原理
２．実施の形態
３．適用例
【００１７】
＜１．静電容量式タッチ検出の基本原理＞
まず最初に、図１〜図３を参照して、本発明のタッチ検出機能付き表示装置におけるタッチ検出の基本原理について説明する。このタッチ検出方式は、静電容量式のタッチセンサとして具現化されるものであり、例えば図１（Ａ）に示したように、誘電体Ｄを挟んで互いに対向配置された一対の電極（駆動電極Ｅ１およびタッチ検出電極Ｅ２）を用い、容量素子を構成する。この構造は、図１（Ｂ）に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出部）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図３（Ｂ））を印加すると、タッチ検出電極Ｅ２（容量素子Ｃ１の他端Ｐ）に、図３（Ａ）に示したような出力波形（タッチ検出信号Ｖdet）が現れる。なお、この交流矩形波Ｓｇは、後述するタッチ検出駆動信号Ｖcomtに相当するものである。
【００１８】
指が接触（または近接）していない状態では、図１に示したように、容量素子Ｃ１に対する充放電に伴って、容量素子Ｃ１の容量値に応じた電流Ｉ０が流れる。このときの容量素子Ｃ１の他端Ｐの電位波形は、例えば図３（Ａ）の波形Ｖ０のようになり、これが電圧検出器ＤＥＴによって検出される。
【００１９】
一方、指が接触（または近接）した状態では、図２に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図３（Ａ）の波形Ｖ１のようになり、これが電圧検出器ＤＥＴによって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖthと比較し、このしきい値電圧以上であれば非接触状態と判断する一方、しきい値電圧未満であれば接触状態と判断する。このようにして、タッチ検出が可能となる。
【００２０】
＜２．第１の実施の形態＞
［構成例］
（全体構成例）
図１は、本発明の第１の実施の形態に係るタッチ検出機能付き表示装置の一構成例を表すものである。なお、本発明の実施の形態に係る駆動回路、タッチ検出機能付き表示装置の駆動方法は、本実施の形態により具現化されるので、併せて説明する。このタッチ検出機能付き表示装置は、表示素子として液晶表示素子を用いており、その液晶表示素子により構成される液晶表示デバイスと静電容量式のタッチ検出デバイスとを一体化した、いわゆるインセルタイプの装置である。
【００２１】
タッチ検出機能付き表示装置１は、制御部１１と、ゲートドライバ１２と、ソースドライバ１３と、駆動信号生成部１５と、駆動電極ドライバ１４と、タッチ検出機能付き表示デバイス１０と、タッチ検出部４０とを備えている。
【００２２】
制御部１１は、外部より供給された映像信号Ｖdispに基づいて、ゲートドライバ１２、ソースドライバ１３、駆動信号生成部１５、駆動電極ドライバ１４、およびタッチ検出部４０に対してそれぞれ制御信号を供給し、これらがお互いに同期して動作するように制御するものである。
【００２３】
ゲートドライバ１２は、制御部１１から供給される制御信号に基づいて、タッチ検出機能付き表示デバイス１０の表示駆動の対象となる１水平ラインを順次選択する機能を有している。具体的には、ゲートドライバ１２は、後述するように、走査信号Ｖscanを、走査信号線ＧＣＬを介して、画素ＰixのＴＦＴ素子Ｔｒのゲートに印加することにより、タッチ検出機能付き表示デバイス１０の液晶表示デバイス２０にマトリックス状に形成されている画素Ｐixのうちの１行（１水平ライン）を表示駆動の対象として順次選択するようになっている。
【００２４】
ソースドライバ１３は、制御部１１から供給される制御信号に基づいて、タッチ検出機能付き表示デバイス１０の各画素Ｐix（後述）に画素信号Ｖpixを供給するものである。具体的には、ソースドライバ１３は、後述するように、画素信号Ｖpixを、画素信号線ＳＧＬを介して、ゲートドライバ１２により順次選択される１水平ラインを構成する各画素Ｐixにそれぞれ供給するようになっている。
【００２５】
駆動信号生成部１５は、制御部１１から供給される制御信号に基づいて、交流矩形波形を有する交流駆動信号Ｖcomacおよび直流駆動信号Ｖcomdc生成し、後述する駆動電極ドライバ１４に供給するものである。
【００２６】
駆動電極ドライバ１４は、制御部１１から供給される制御信号に基づいて、タッチ検出機能付き表示デバイス１０の駆動電極ＣＯＭＬ（後述）に、駆動信号Ｖcomを供給するものである。具体的には、駆動電極ドライバ１４は、駆動信号生成部１５から供給された交流駆動信号Ｖcomacを、表示動作の対象となる駆動電極ＣＯＭＬに対して表示駆動信号Ｖcomdとして時分割的に順次印加するものである。また、駆動電極ドライバ１４は、駆動信号生成部１５から供給された交流駆動信号Ｖcomacおよび直流駆動信号Ｖcomdcに基づいてタッチ検出駆動信号Ｖcomt（後述）を生成し、タッチ検出動作の対象となる駆動電極ＣＯＭＬに対して時分割的に順次印加する機能を有している。
【００２７】
ゲートドライバ１３および駆動電極ドライバ１４は、走査駆動部５０を構成する。走査駆動部５０の構成については、後ほど詳細に説明する。
【００２８】
タッチ検出機能付き表示デバイス１０は、タッチ検出機能を内蔵した表示デバイスである。タッチ検出機能付き表示デバイス１０は、液晶表示デバイス２０と、タッチ検出デバイス３０とを有する。液晶表示デバイス２０は、ゲートドライバ１２から供給される走査信号Ｖscanおよび駆動電極ドライバ１４から供給される表示駆動信号Ｖcomdに従って、１水平ラインずつ順次走査して表示を行うデバイスである。タッチ検出デバイス３０は、上述した静電容量式タッチ検出の基本原理に基づいて動作するものであり、駆動電極ドライバ１４から供給されるタッチ検出駆動信号Ｖcomtに基づいて、タッチ検出信号Ｖdetを出力するものである。
【００２９】
タッチ検出部４０は、制御部１１から供給される制御信号と、タッチ検出機能付き表示デバイス１０のタッチ検出デバイス３０から供給されたタッチ検出信号Ｖdetに基づいて、タッチ検出デバイス３０に対するタッチの有無を検出し、タッチがある場合においてタッチ検出領域におけるその座標などを求める回路である。このタッチ検出部４０はアナログＬＰＦ（Ｌｏｗ  Ｐａｓｓ  Ｆｉｌｔｅｒ）部４２と、Ａ／Ｄ変換部４３と、信号処理部４４と、座標抽出部４５と、検出タイミング制御部４６とを有している。アナログＬＰＦ部４２は、タッチ検出デバイス３０から供給されるタッチ検出信号Ｖdetに含まれる高い周波数成分（ノイズ成分）を除去し、タッチ成分を取り出してそれぞれ出力する低域通過アナログフィルタである。アナログＬＰＦ部４２の入力端子のそれぞれと接地との間には、直流電位（０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。Ａ／Ｄ変換部４３は、アナログＬＰＦ部４２から出力されるアナログ信号をそれぞれデジタル信号に変換する回路である。信号処理部４４は、Ａ／Ｄ変換部４３の出力信号に基づいて、タッチ検出デバイス３０におけるタッチの有無を検出する論理回路である。座標抽出部４５は、信号処理部４４においてタッチ検出がなされたときに、そのタッチパネル座標を求める論理回路である。検出タイミング制御部４６は、これらの回路が同期して動作するように制御するようになっている。
【００３０】
（タッチ検出機能付き表示デバイス１０）
次に、タッチ検出機能付き表示デバイス１０の構成例を詳細に説明する。
【００３１】
図５は、タッチ検出機能付き表示デバイス１０の要部断面構造の例を表すものである。このタッチ検出機能付き表示デバイス１０は、画素基板２と、この画素基板２に対向して配置された対向基板３と、画素基板２と対向基板３との間に挿設された液晶層６とを備えている。
【００３２】
画素基板２は、回路基板としてのＴＦＴ基板２１と、このＴＦＴ基板２１上にマトリックス状に配設された複数の画素電極２２とを有する。ＴＦＴ基板２１には、図示していないものの、各画素の薄膜トランジスタ（ＴＦＴ；Thin Film Transistor）や、各画素電極２２に画像信号Ｖpixを供給する画素信号線ＳＧＬ、各ＴＦＴを駆動する走査信号線ＧＣＬ等の配線が形成されている。
【００３３】
対向基板３は、ガラス基板３１と、このガラス基板３１の一方の面に形成されたカラーフィルタ３２と、このカラーフィルタ３２の上に形成された複数の駆動電極ＣＯＭＬとを有する。カラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。駆動電極ＣＯＭＬは、液晶表示デバイス２０の共通駆動電極として機能するとともに、タッチ検出デバイス３０の駆動電極としても機能するものである。駆動電極ＣＯＭＬは、図示しないコンタクト導電柱によって画素基板２と連結され、このコンタクト導電柱を介して、画素基板２から駆動電極ＣＯＭＬに交流矩形波形の駆動信号Ｖcom（表示駆動信号Ｖcomdおよびタッチ検出駆動信号Ｖcomt）が印加されるようになっている。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００３４】
液晶層６は、電界の状態に応じてそこを通過する光を変調するものであり、例えば、ＴＮ（ツイステッドネマティック）、ＶＡ（垂直配向）、ＥＣＢ（電界制御複屈折）等の各種モードの液晶が用いられる。
【００３５】
なお、液晶層６と画素基板２との間、および液晶層６と対向基板３との間には、それぞれ配向膜が配設され、また、画素基板２の下面側には入射側偏光板が配置されるが、ここでは図示を省略している。
【００３６】
図６は、液晶表示デバイス２０における画素構造の構成例を表すものである。液晶表示デバイス２０は、マトリックス状に配列した複数の画素Ｐixを有している。画素Ｐixは、ＴＦＴ素子Ｔｒおよび液晶素子ＬＣを有している。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００３７】
画素Ｐixは、走査信号線ＧＣＬにより、液晶表示デバイス２０の同じ行に属する他の画素Ｐixと互いに接続されている。走査信号線ＧＣＬは、ゲートドライバ１２と接続され、ゲートドライバ１２より走査信号Ｖscanが供給されるようになっている。画素Ｐixは、画素信号線ＳＧＬにより、液晶表示デバイス２０の同じ列に属する他の画素Ｐixと互いに接続されている。画素信号線ＳＧＬは、ソースドライバ１３と接続され、ソースドライバ１３より画素信号Ｖpixが供給されるようになっている。
【００３８】
さらに、画素Ｐixは、駆動電極ＣＯＭＬにより、液晶表示デバイス２０の同じ行に属する他の画素Ｐixと互いに接続されている。駆動電極ＣＯＭＬは、駆動電極ドライバ１４と接続され、駆動電極ドライバ１４より駆動信号Ｖcomが供給されるようになっている。
【００３９】
この構成により、液晶表示デバイス２０では、ゲートドライバ１２が走査信号線ＧＣＬを時分割的に線順次走査するように駆動することにより、１水平ラインが順次選択され、その１水平ラインに属する画素Ｐixに対して、ソースドライバ１３が画素信号Ｖpixを供給することにより、１水平ラインずつ表示が行われるようになっている。この表示動作を行う際、駆動電極ドライバ１４は、その１水平ラインに対応する駆動電極ＣＯＭＬに対して表示駆動信号Ｖcomdを印加するようになっている。
【００４０】
図７は、タッチ検出デバイス３０の一構成例を斜視的に表すものである。タッチ検出デバイス３０は、対向基板３に設けられた、駆動電極ＣＯＭＬおよびタッチ検出電極ＴＤＬにより構成されている。駆動電極ＣＯＭＬは、図の左右方向に延在する複数のストライプ状の電極パターンに分割されている。タッチ検出動作を行う際は、各電極パターンには、駆動電極ドライバ１４によってタッチ検出駆動信号Ｖcomtが順次供給され、走査駆動が行われるようになっている。タッチ検出電極ＴＤＬは、駆動電極ＣＯＭＬの電極パターンの延在方向と直交する方向に延びるストライプ状の電極パターンから構成されている。タッチ検出電極ＴＤＬの各電極パターンは、タッチ検出部４０のアナログＬＰＦ部４２の入力にそれぞれ接続されている。駆動電極ＣＯＭＬとタッチ検出電極ＴＤＬにより互いに交差した電極パターンは、その交差部分に静電容量を形成している。
【００４１】
この構成により、タッチ検出デバイス３０では、タッチ検出動作を行う際、駆動電極ドライバ１４が駆動電極ＣＯＭＬを時分割的に順次走査するように駆動し、タッチ検出電極ＴＤＬからタッチ検出信号Ｖdetを出力することにより、タッチ検出が行われるようになっている。つまり、駆動電極ＣＯＭＬは、図１〜図３に示したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図７に示したように、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００４２】
（走査駆動部５０）
次に、ゲートドライバ１２および駆動電極ドライバ１４により構成される走査駆動部５０の構成例を詳細に説明する。
【００４３】
図８は、走査駆動部５０の一構成例を表すものである。走査駆動部５０は、走査制御部５１と、表示走査部５２と、タッチ検出走査部５３と、駆動部５４０とを備えている。表示走査部５２と、走査制御部５１および駆動部５４０の一部はゲートドライバ１２を構成している。また、タッチ検出走査部５３と、走査制御部５１および駆動部５４０の一部は駆動電極ドライバ１４を構成している。駆動部５４０は、Ｎ個の駆動部５４(１)〜５４(Ｎ)から構成されている。以後、Ｎ個の駆動部５４(１)〜５４(Ｎ)のうちの任意の一つをさす場合には、単に駆動部５４を用いるものとする。
【００４４】
走査制御部５１は、制御部１１より供給された図示しない制御信号に基づいて、表示走査部５２およびタッチ検出走査部５３に対してそれぞれ制御信号を供給するとともに、駆動部５４０に対してマスク信号Ｓmaskを供給するものである。
【００４５】
表示走査部５２は、シフトレジスタを含んで構成され、走査信号Ｖscanを順次印加する走査信号線ＧＣＬを選択するための信号Ｓｄを生成するものである。また、この信号Ｓｄは、表示駆動信号Ｖcomdを順次印加する駆動電極ＣＯＭＬを選択するためにも用いられるようになっている。具体的には、表示走査部５２は、後述するように、走査制御部５１から供給された制御信号に基づいて、それぞれが各走査信号線ＧＣＬに対応する複数の信号Ｓｄを生成する。そして、表示走査部５２が高レベルの信号をｎ番目の信号Ｓｄ(n)としてｎ番目の駆動部５４(n)に供給したときに、この駆動部５４(n)は、ｎ行目の走査信号線ＧＣＬに走査信号Ｖscan(n)を印加するととともに、ｎ行目の駆動電極ＣＯＭＬ(n)に対して表示駆動信号Ｖcomdを印加するようになっている。すなわち、表示走査部５２は、高レベルの信号Ｓｄを出力することにより、駆動部５４０に対して表示駆動を指示するものである。
【００４６】
タッチ検出走査部５３は、シフトレジスタを含んで構成され、タッチ検出駆動信号Ｖcomtを順次印加する駆動電極ＣＯＭＬを選択するための信号Ｓｔを生成するものである。具体的には、タッチ検出走査部５３は、後述するように、走査制御部５１から供給された制御信号に基づいて、それぞれが各駆動電極ＣＯＭＬに対応する複数の信号Ｓｔを生成する。そして、タッチ検出走査部５３が高レベルの信号をｎ番目の信号Ｓｔ(n)としてｎ番目の駆動部５４(n)に供給したときに、この駆動部５４(n)は、ｎ行目の駆動電極ＣＯＭＬ(n)にタッチ検出駆動信号Ｖcomtを印加するようになっている。すなわち、タッチ検出走査部５３は、高レベルの信号Ｓｔを出力することにより、駆動部５４０に対してタッチ検出駆動を指示するものである。
【００４７】
駆動部５４０は、表示走査部５２から供給された信号Ｓｄおよびタッチ検出走査部５３から供給された信号Ｓｔに基づいて、走査信号Ｖscanを走査信号線ＧＣＬに印加するとともに、駆動信号Ｖcom（表示駆動信号Ｖcomdおよびタッチ検出駆動信号Ｖcomt）を駆動電極ＣＯＭＬに印加するものである。その際、駆動部５４０は、走査駆動部５１から供給されたマスク信号Ｓmaskに基づいて、タッチ検出駆動信号Ｖcomtを生成する機能も有している。駆動部５４は、表示走査部５１およびタッチ検出走査部５２の出力信号の組に対応して１つずつ設けられており、対応する走査信号線ＧＣＬに対して走査信号Ｖscanを印加するとともに、対応する駆動電極ＣＯＭＬに対して駆動信号Ｖcomを印加するようになっている。
【００４８】
駆動部５４は、ゲートバッファ５５と、論理積回路５６と、論理和回路５７と、駆動スイッチ回路５８とを備えている。
【００４９】
ゲートバッファ５５は、表示走査部５２から供給された信号Ｓｄに基づいて、走査信号線ＧＣＬに走査信号Ｖscanを印加する回路である。具体的には、ゲートバッファ５５は、この例では、信号Ｓｄを、液晶表示デバイス２０のＴＦＴ素子Ｔｒをオンオフ制御することができる振幅レベルに増幅するとともに、走査信号Ｖscanとしての適切なパルス幅に変更する機能を有している。
【００５０】
論理積回路５６は、走査制御部５１から供給されたマスク信号Ｓmaskおよびタッチ検出走査部５２から供給された信号Ｓｔの論理積（ＡＮＤ）を生成して出力するものである。
【００５１】
論理和回路５７は、表示走査部５３から供給された信号Ｓｄおよび論理積回路５６の出力信号の論理和（ＯＲ）を生成して信号Ｓeldとして出力するものである。
【００５２】
駆動スイッチ回路５８は、論理和回路５７から供給された信号Ｓeldに基づいて、駆動電極ＣＯＭＬに駆動信号Ｖcomを印加する回路である。
【００５３】
図９は、駆動スイッチ回路５８の一構成例を表すものである。駆動スイッチ回路５８は、インバータ６１と、バッファ６６，６７と、スイッチＳＷ１，ＳＷ２とを備えている。インバータ６１は、論理和回路５７から供給された信号Ｓeldの反転論理を生成して出力するものである。バッファ６６は、入力された信号Ｓeldを、スイッチＳＷ１をオンオフ制御することができる振幅レベルに増幅する機能を有している。スイッチＳＷ１は、バッファ６６から供給される信号に基づいてオンオフ制御されるものであり、一端には交流駆動信号Ｖcomacが供給され、他端は駆動スイッチ回路５８の出力端子に接続されている。バッファ６７は、インバータ６１の出力信号を、スイッチＳＷ２をオンオフ制御することができる振幅レベルに増幅する機能を有している。スイッチＳＷ２は、バッファ６７から供給される信号に基づいてオンオフ制御されるものであり、一端には直流駆動信号Ｖcomdcが供給され、他端は駆動スイッチ回路５８の出力端子に接続されている。
【００５４】
この構成により、駆動スイッチ回路５８は、入力信号Ｓeldが高レベルの場合には、交流駆動信号Ｖcomacを駆動信号Ｖcom(n)として出力し、入力信号Ｓeldが低レベルの場合には、直流駆動信号Ｖcomdcを駆動信号Ｖcom(n)として出力するようになっている。
【００５５】
図１０は、駆動部５４(n)に係る信号のタイミング波形図を表すものであり、（Ａ）は交流駆動信号Ｖcomacの波形を示し、（Ｂ）は直流駆動信号Ｖcomdcの波形を示し、（Ｃ）はマスク信号Ｓmaskの波形を示し、（Ｄ）〜（Ｆ）は駆動信号Ｖcom(n)の波形の一例をそれぞれ示す。
【００５６】
交流駆動信号Ｖcomacは、図１０（Ａ）に示したように、振幅Ｖｄを有する矩形波信号である。直流駆動信号Ｖcomdcは、図１０（Ｂ）に示した例では、０Ｖの直流信号である。マスク信号Ｓmaskは、図１０（Ｃ）に示したように、交流駆動信号Ｖcomacが遷移するタイミングの前後においてのみ高レベルとなる信号である。
【００５７】
駆動部５４(n)は、図１０（Ａ）〜（Ｃ）に示した信号に基づいて、駆動電極ＣＯＭＬ(n)に対して駆動信号Ｖcomを印加する。すなわち、駆動部５４(n)は、表示走査部５２から供給された信号Ｓｄ(n)が高レベルの場合には、表示駆動の指示と解釈して、駆動電極ＣＯＭＬ(n)に対して、交流駆動信号Ｖcomacを表示駆動信号Ｖcomdとして印加する（図１０（Ｄ））。また、駆動部５４(n)は、タッチ検出走査部５３から供給された信号Ｓｔ(n)が高レベルの場合には、タッチ検出駆動の指示と解釈し、図１０（Ｅ）に示したように、マスク信号Ｓmaskが高レベルの期間では駆動電極ＣＯＭＬ(n)に交流駆動信号Ｖcomacを印加し（パルス部分Ｐ１）、マスク信号Ｓmaskが低レベルの期間では直流駆動信号Ｖcomdcを印加する（直流部分Ｐ２）。すなわち、駆動部５４(n)は、交流駆動信号Ｖcomac、直流交流駆動信号Ｖcomdcおよびマスク信号Ｓmaskに基づいて、パルス部分Ｐ１および直流部分Ｐ２を有するタッチ検出駆動信号Ｖcomtを生成して駆動電極ＣＯＭＬ(n)に対して印加するようになっている。
【００５８】
駆動部５４(n)は、表示走査部５２から供給された信号Ｓｄ(n)およびタッチ検出走査部５３から供給された信号Ｓｔ(n)が共に高レベルである場合には、駆動電極ＣＯＭＬ(n)に対して、交流駆動信号Ｖcomacを表示駆動信号Ｖcomdとして印加する（図１０（Ｄ））。つまり、駆動部５４(n)は、表示駆動とタッチ検出駆動の両方の指示を受けた場合には、表示駆動の指示を優先するようになっている。また、駆動部５４(n)は、表示走査部５２から供給された信号Ｓｄ(n)およびタッチ検出走査部５３から供給された信号Ｓｔ(n)がともに低レベルである場合には、表示駆動の指示でもタッチ検出駆動の指示でもないと解釈し、駆動電極ＣＯＭＬ(n)に直流駆動信号Ｖcomdcを印加する（図１０（Ｆ））。
【００５９】
図１１は、走査駆動部５０の一動作例を表すものである。走査駆動部５０は、表示駆動信号Ｖcomdおよびタッチ検出駆動信号Ｖcomtを、駆動電極ＣＯＭＬに順次印加する。その際、表示駆動信号Ｖcomdを印加する対象となる駆動電極ＣＯＭＬと、タッチ検出駆動信号Ｖcomtを印加する対象となる駆動電極ＣＯＭＬとが重なった場合には（図１１（Ｂ））、上述した表示駆動を優先するしくみにより、その重なった駆動電極ＣＯＭＬに対して表示駆動信号Ｖcomdを印加するようになっている。
【００６０】
ここで、駆動電極ＣＯＭＬは、本発明における「共通駆動電極」の一具体例に対応する。液晶素子ＬＣは、本発明における「表示素子」の一具体例に対応する。交流駆動信号Ｖcomacは、本発明における「交流信号」の一具体例に対応する。直流駆動信号Ｖcomdcは、本発明における「直流電位」の一具体例に対応する。スイッチＳＷ１，ＳＷ２は、本発明における「第１のスイッチ」および「第２のスイッチ」の一具体例にそれぞれ対応する。
【００６１】
［動作および作用］
続いて、本実施の形態のタッチ検出機能付き表示装置１の動作および作用について説明する。
【００６２】
（全体動作概要）
制御部１１は、外部より供給された映像信号Ｖdispに基づいて、ゲートドライバ１２、ソースドライバ１３、駆動信号生成部１５、駆動電極ドライバ１４、およびタッチ検出部４０に対してそれぞれ制御信号を供給し、これらがお互いに同期して動作するように制御する。ゲートドライバ１２は、液晶表示デバイス２０に走査信号Ｖscanを供給し、表示駆動の対象となる１水平ラインを順次選択する。ソースドライバ１３は、ゲートドライバ１２により選択された１水平ラインを構成する各画素Ｐixに、画素信号Ｖpixを供給する。駆動信号生成部１５は、交流駆動信号Ｖcomacおよび直流駆動信号Ｖcomdcを生成する。駆動電極ドライバ１４は、表示動作では、表示駆動の対象となる１水平ラインに係る駆動電極ＣＯＭＬに対して交流駆動信号Ｖcomacを表示駆動信号Ｖcomdとして順次印加し、タッチ検出動作では、交流駆動信号Ｖcomacおよび直流駆動信号Ｖcomdcに基づいてタッチ検出駆動信号Ｖcomtを生成し、タッチ検出動作に係る駆動電極ＣＯＭＬに対して順次印加する。タッチ検出機能付き表示デバイス１０は、ゲートドライバ１２、ソースドライバ１３、および駆動電極ドライバ１４により供給された信号に基づいて表示動作を行うとともに、駆動電極ドライバ１４により供給されたタッチ検出駆動信号Ｖcomtに基づいてタッチ検出動作を行い、タッチ検出電極ＴＤＬからタッチ検出信号Ｖdetを出力する。アナログＬＰＦ部４２は、タッチ検出信号Ｖdetの高い周波数成分を除去して出力する。Ａ／Ｄ変換部４３は、アナログＬＰＦ部４２から出力されるアナログ信号をデジタル信号に変換する。信号処理部４４は、Ａ／Ｄ変換部４３の出力信号に基づいて、タッチ検出機能付き表示デバイス１０に対するタッチの有無を検出する。座標抽出部４５は、信号処理部４４においてタッチ検出がなされたときに、そのタッチパネル座標を求める。検出タイミング制御部４６は、アナログＬＰＦ部４２、Ａ／Ｄ変換部４３、信号処理部４４、座標抽出部４５が同期して動作するように制御する。
【００６３】
以下に、タッチ検出機能付き表示装置１の詳細動作を説明する。
【００６４】
（表示動作およびタッチ検出動作）
図１２は、タッチ検出機能付き表示装置１の表示動作およびタッチ検出動作の一例を表すものであり、（Ａ）は交流駆動信号Ｖcomacの波形を示し、（Ｂ）は駆動信号Ｖcomの波形を示し、（Ｃ）は走査信号Ｖscanの波形を示し、（Ｄ）は画素信号Ｖpixの波形を示し、（Ｅ）はタッチ検出信号Ｖdetの波形を示す。この例は、図１２（Ｂ）に示したように、（ｎ−２）行目から（ｎ＋２）行目の駆動電極ＣＯＭＬ(n-2)〜ＣＯＭＬ(n+2)が表示駆動の対象として順次選択されるとともに、（ｋ−４）行目から（ｋ＋５）行目の駆動電極ＣＯＭＬ(k-4)〜ＣＯＭＬ(k+5)がタッチ検出駆動の対象として順次選択される場合を示している。
【００６５】
タッチ検出機能付き表示装置１では、表示動作において、ゲートドライバ１２が、走査信号線ＧＣＬに対して走査信号Ｖscanを印加し（図１２（Ｃ））、駆動電極ドライバ１４が、その走査信号線ＧＣＬに対応する駆動電極ＣＯＭＬに対して表示駆動信号Ｖcomd（図１２（Ｂ）における駆動信号Ｖcom(n-2)〜Ｖcom(n+2））を順次印加することにより表示走査を行う。そして各１水平期間（１Ｈ）では、走査信号Ｖscanおよび表示駆動信号Ｖcomdが印加された１水平ラインに対してソースドライバ１３が画素信号Ｖpixを供給することにより、その１水平ラインの表示が行われる。タッチ検出動作では、駆動電極ドライバ１４が、この例では６本の駆動電極ＣＯＭＬに対してタッチ検出駆動信号Ｖcomt（図１２（Ｂ）における駆動信号Ｖcom(k-4)〜Ｖcom(k+5)）を印加し、そのタッチ検出駆動信号Ｖcomtを印加する駆動電極ＣＯＭＬを１水平期間ごとに２本ずつシフトすることによりタッチ検出走査を行う。つまり、タッチ検出走査は、表示走査の２倍の走査速度で行われる。各１水平期間（１Ｈ）では、タッチ検出部４０が、タッチ検出信号Ｖdetに基づいてタッチを検出する。以下に、その詳細を説明する。
【００６６】
まず、駆動電極ドライバ１４は、タイミングｔ１において、駆動電極ＣＯＭＬに対して駆動信号Ｖcomを印加する。具体的には、駆動電極ドライバ１４は、（ｎ−１）行目の駆動電極ＣＯＭＬ(n-1)に対して表示駆動信号Ｖcomd（駆動信号Ｖcom(n-1)）を印加する（図１２（Ｂ））。同時に、この駆動電極ドライバ１４は、（ｋ−４）行目から（ｋ＋１）行目の６本の駆動電極ＣＯＭＬ(k-4)〜ＣＯＭＬ(k+1)に対してタッチ検出駆動信号Ｖcomt（駆動信号Ｖcom(k-4)〜Ｖcom(k+1)）のパルス部分Ｐ１を印加する（図１２（Ｂ））。これにより、１水平期間（１Ｈ）が開始する。
【００６７】
次に、駆動電極ドライバ１４は、タイミングｔ２において、タッチ検出駆動信号Ｖcomtの直流部分Ｐ２を印加する（図１２（Ｂ））。
【００６８】
次に、ゲートドライバ１２は、タイミングｔ３において、（ｎ−１）行目の走査信号線ＧＣＬ(n-1)に対して走査信号Ｖscanを印加し、走査信号Ｖscan(n-1)が低レベルから高レベルに変化する（図１２（Ｃ））。
【００６９】
次に、ソースドライバ１３は、タイミングｔ４において、画素信号線ＳＧＬに対して画素信号Ｖpixを印加し（図１２（Ｄ））、１水平ラインに対する表示を行う。ソースドライバ１３による画素信号Ｖpixの供給が終了したのち、ゲートドライバ１２は、（ｎ−１）行目の走査信号線ＧＣＬ(n-1)の走査信号Ｖscan(n-1)を高レベルから低レベルに変化させる（図１２（Ｃ））。
【００７０】
次に、駆動電極ドライバ１４は、タイミングｔ５において、タッチ検出駆動信号Ｖcomtのパルス部分Ｐ１を印加する（図１２（Ｂ））。このとき、このタッチ検出駆動信号Ｖcomtは、静電容量を介してタッチ検出電極ＴＤＬに伝わり、タッチ検出信号Ｖdetが変化する（図１２（Ｅ））。
【００７１】
次に、Ａ／Ｄ変換部４３は、サンプリングタイミングｔｓ１において、タッチ検出信号ＶdetをＡ／Ｄ変換する（図１２（Ｅ））。
【００７２】
次に、駆動電極ドライバ１４は、タイミングｔ１１において、駆動電極ＣＯＭＬに対して駆動信号Ｖcomを印加する。具体的には、駆動信号生成部１５は、交流駆動信号Ｖcomacを反転させ（図１２（Ａ））、駆動電極ドライバ１４は、ｎ行目の駆動電極ＣＯＭＬ(n)に対して表示駆動信号Ｖcomd（駆動信号Ｖcom(n)）を印加する（図１２（Ｂ））。同時に、この駆動電極ドライバ１４は、（ｋ−２）行目から（ｋ＋３）行目の６本の駆動電極ＣＯＭＬ(k-2)〜ＣＯＭＬ(k+3)に対してタッチ検出駆動信号Ｖcomt（駆動信号Ｖcom(k-2)〜Ｖcom(k+3)）のパルス部分Ｐ１を印加する（図１２（Ｂ））。これにより、次の１水平期間（１Ｈ）が開始する。このとき、この表示駆動信号Ｖcomdおよびタッチ検出駆動信号Ｖcomtは、静電容量を介してタッチ検出電極ＴＤＬに伝わり、タッチ検出信号Ｖdetが変化する（図１２（Ｅ））。
【００７３】
次に、Ａ／Ｄ変換部４３は、サンプリングタイミングｔｓ２において、タッチ検出信号ＶdetをＡ／Ｄ変換する（図１２（Ｅ））。タッチ検出部４０の信号処理部４４では、サンプリングタイミングｔｓ１におけるＡ／Ｄ変換結果と、サンプリングタイミングｔｓ２におけるＡ／Ｄ変換結果の差に基づいて、タッチ検出を行う。
【００７４】
次に、駆動電極ドライバ１４は、タイミングｔ１２において、タッチ検出駆動信号Ｖcomtの直流部分Ｐ２を印加する（図１２（Ｂ））。そして、ゲートドライバ１２が、タイミングｔ１３において、ｎ行目の走査信号線ＧＣＬ(n)に対して走査信号Ｖscanを印加し、走査信号Ｖscan(n)が低レベルから高レベルに変化した後（図１２（Ｄ））、ソースドライバ１３が、タイミングｔ１４において、画素信号線ＳＧＬに対して画素信号Ｖpixを印加する（図１２（Ｄ））。なお、この例では、タッチ検出機能付き表示装置１は反転駆動を行うため、ソースドライバ１３が印加する画素信号Ｖpixは、一つ前の１水平期間のものと比べて、その極性が反転している。ソースドライバ１３による画素信号Ｖpixの供給が終了したのち、ゲートドライバ１２は、ｎ行目の走査信号線ＧＣＬ(n)の走査信号Ｖscan(n)を高レベルから低レベルに変化させる（図１２（Ｃ））。
【００７５】
次に、駆動電極ドライバ１４は、タイミングｔ１５において、タッチ検出駆動信号Ｖcomtのパルス部分Ｐ１を印加する（図１２（Ｂ））。そのタッチ検出駆動信号Ｖcomtの変化に応じてタッチ検出信号Ｖdetが変化した後（図１２（Ｅ））、Ａ／Ｄ変換部４３は、サンプリングタイミングｔｓ１１において、タッチ検出信号ＶdetをＡ／Ｄ変換する（図１２（Ｅ））。
【００７６】
次に、駆動電極ドライバ１４は、タイミングｔ２１において、駆動電極ＣＯＭＬに対して駆動信号Ｖcomを印加する。具体的には、駆動信号生成部１５は、交流駆動信号Ｖcomacを反転させ（図１２（Ａ））、駆動電極ドライバ１４は、（ｎ＋１）行目の駆動電極ＣＯＭＬ(n+1)に対して表示駆動信号Ｖcomd（駆動信号Ｖcom(n+1)）を印加する（図１２（Ｂ））。同時に、この駆動電極ドライバ１４は、ｋ行目から（ｋ＋５）行目の６本の駆動電極ＣＯＭＬ(k)〜ＣＯＭＬ(k+5)に対してタッチ検出駆動信号Ｖcomt（駆動信号Ｖcom(k)〜Ｖcom(k+5)）のパルス部分Ｐ１を印加する（図１２（Ｂ））。その表示駆動信号Ｖcomdおよびタッチ検出駆動信号Ｖcomtの変化に応じてタッチ検出信号Ｖdetが変化した後（図１２（Ｅ））、Ａ／Ｄ変換部４３は、サンプリングタイミングｔｓ１２において、タッチ検出信号ＶdetをＡ／Ｄ変換する（図１２（Ｅ））。タッチ検出部４０の信号処理部４４では、サンプリングタイミングｔｓ１１におけるＡ／Ｄ変換結果と、サンプリングタイミングｔｓ１２におけるＡ／Ｄ変換結果の差に基づいて、タッチ検出を行う。
【００７７】
これ以降、上述した動作を繰り返すことにより、タッチ検出機能付き表示装置１は、液晶表示デバイス２０の全面にわたり順次走査することによりその全面に対する表示動作を行うとともに、タッチ検出デバイス３０の全面にわたり順次走査することによりその全面に対するタッチ検出動作を行う。
【００７８】
次に、上述した表示動作およびタッチ検出動作を行う際の走査駆動部５０の動作について詳細に説明する。以下では、最初に走査駆動部５０の構成要素である、表示走査部５２、タッチ検出走査部５３、および駆動部５４の説明を行い、その後に走査駆動部５０の説明を行う。
【００７９】
（表示走査部５２およびタッチ検出走査部５３の詳細動作）
図１３は、表示走査部５２の一動作例を表すものであり、（Ａ）は交流駆動信号Ｖcomacの波形を示し、（Ｂ）は出力信号Ｓｄの波形を示す。
【００８０】
表示走査部５２は、駆動信号生成部１５が生成する交流駆動信号Ｖcomac（図１３（Ａ））の電圧遷移に対応したタイミングで、１水平期間（１Ｈ）に対応するパルス幅を有する信号を、信号Ｓｄとして順次出力する。駆動部５４は、この信号Ｓｄ（例えば、信号Ｓｄ(n-2)〜Ｓｄ(n+2)）に基づいて、図１２（Ｃ）に示した走査信号Ｖscan（例えば、走査信号Ｖscan(n-2)〜Ｖscan(n+2)）を生成するとともに、図１２（Ｂ）に示した表示駆動信号Ｖcomd（例えば、駆動信号Ｖcom(n-2)〜Ｖcom(n+2)）を生成する。
【００８１】
図１４は、タッチ検出走査部５３の一動作例を表すものであり、（Ａ）は交流駆動信号Ｖcomacの波形を示し、（Ｂ）は出力信号Ｓｔの波形を示す。
【００８２】
タッチ検出走査部５３は、この例では、駆動信号生成部１５が生成する交流駆動信号Ｖcomac（図１４（Ａ））の電圧遷移に対応したタイミングで、同時に６つの信号が高レベルになるように、そしてその高レベルとなる信号Ｓｔが１水平期間（１Ｈ）ごとに２つずつシフトするように信号Ｓｔを順次出力する。駆動部５４は、この信号Ｓｔ（例えば、信号Ｓｔ(k-4)〜Ｓｔ(k+5)）に基づいて、図１２（Ｂ）に示したタッチ検出駆動信号Ｖcomt（例えば、駆動信号Ｖcom(k-4)〜Ｖcom(k+5)）を生成する。
【００８３】
（駆動部５４の詳細動作）
図１５は、駆動部５４(n)の一動作例を表すものであり、（Ａ）は交流駆動信号Ｖcomacの波形を示し、（Ｂ）は直流駆動信号Ｖcomdcの波形を示し、（Ｃ）はマスク信号Ｓmaskの波形を示し、（Ｄ）は信号Ｓｄ(n)の波形を示し、（Ｅ）は信号Ｓｔ(n)の波形を示し、（Ｆ）は信号Ｓeldの波形を示し、（Ｇ）は走査信号Ｖscan(n)の波形を示し、（Ｈ）は駆動信号Ｖcom(n)の波形を示す。
【００８４】
駆動部５４(n)は、表示走査部５２から供給された信号Ｓｄ(n)が高レベルのとき、タイミングｔ３１〜ｔ３２に示したように、走査信号Ｖscan(n)を高レベルにするとともに（図１５（Ｇ））、表示駆動信号Ｖcomdを駆動信号Ｖcom(n)として出力する（図１５（Ｈ））。具体的には、ゲートバッファ５５は、信号Ｓｄ(n)が高レベルのとき、信号Ｓｄ(n)に基づいて走査信号Ｖscan(n)を生成し出力する（図１５（Ｇ））。また、論理和回路５７は、高レベルの信号を信号Ｓeldとして出力し（図１５（Ｆ））、駆動スイッチ回路５８が、交流駆動信号Ｖcomac（図１５（Ａ））を表示駆動信号Ｖcomdとして出力する（図１５（Ｈ））。すなわち、駆動部５４(n)は、高レベルの信号Ｓｄ(n)と低レベルの信号Ｓｔ(n)により、表示駆動の指示と解釈し、駆動電極ＣＯＭＬ(n)に対して表示駆動信号Ｖcomdを供給する。
【００８５】
駆動部５４(n)は、タッチ検出走査部５３から供給された信号Ｓｔ(n)が高レベルのとき、タイミングｔ４１〜ｔ４４に示したように、タッチ検出駆動信号Ｖcomtを駆動信号Ｖcom(n)として出力する（図１５（Ｈ））。具体的には、論理和回路５７は、信号Ｓｔ(n)が高レベルの期間のみ、マスク信号Ｓmaskと同様の信号を信号Ｓeldとして出力する（図１５（Ｆ））。そして、駆動スイッチ回路５８は、信号Ｓeldが高レベルの期間には、交流駆動信号Ｖcomac（図１５（Ａ））を出力し（図１５（Ｈ）のパルス部分Ｐ１）、信号Ｓeldが低レベルの期間には、直流駆動信号Ｖcomdc（図１５（Ｂ））を出力することにより（図１５（Ｈ）の直流部分Ｐ２）、タッチ検出駆動信号Ｖcomtを生成し出力する。すなわち、駆動部５４(n)は、高レベルの信号Ｓｔ(n)と低レベルの信号Ｓｄ(n)により、タッチ検出駆動の指示と解釈し、駆動電極ＣＯＭＬ(n)に対してタッチ検出駆動信号Ｖcomtを供給する。
【００８６】
以上では、表示走査部５２から供給される信号Ｓｄおよびタッチ検出走査部５３から供給される信号Ｓｔのうちの一方が高レベルであり他方が低レベルである場合について説明したが、これらの両方が高レベルとなる場合がある。以下に、その状態について説明する。
【００８７】
図１２に示したように、駆動電極ドライバ１４は、表示動作において、表示駆動信号Ｖcomdを駆動電極ＣＯＭＬに印加する際には、その印加対象となる駆動電極ＣＯＭＬを１水平期間ごとに１つずつシフトすることにより順次走査を行い、タッチ検出動作において、タッチ検出駆動信号Ｖcomtを駆動電極ＣＯＭＬに印加する際には、１水平期間ごとに２つずつシフトすることにより順次走査を行う。つまり、タッチ検出走査は、この例では、表示走査の２倍の走査速度で行われる。
【００８８】
図１６は、表示走査およびタッチ検出走査を模式的に表すものである。タッチ検出機能付き表示装置１では、走査駆動部５０が、表示走査Ｓcandおよびタッチ検出走査Ｓcantを独立して行うことができ、表示動作のための表示駆動信号Ｖcomdおよびタッチ検出動作の為のタッチ検出駆動信号Ｖcomtを、駆動電極ＣＯＭＬに対してそれぞれ別々に印加することができる。その際、タッチ検出走査Ｓcantの速度を表示走査Ｓcandの速度とは別々に設定し、タッチ検出の走査速度を速くすることができるため、外部近接物体によるタッチにすぐに応答することができ、タッチ検出に対する応答特性を改善することができる。
【００８９】
図１６に示したように、表示走査Ｓcandは、タッチ検出走査の速度と表示走査の速度よりも早いため、タイミングＷ１において、タッチ検出走査Ｓcantにより追い越されることとなる。このとき、表示駆動の対象となる駆動電極ＣＯＭＬと、タッチ検出駆動の対象となる駆動電極ＣＯＭＬとは、重なるようになる。すなわち、その駆動電極ＣＯＭＬ(n)に係る駆動部５４(n)には、表示走査部５２から高レベルの信号Ｓｄ(n)が供給されるとともに、タッチ検出走査部５３から高レベルの信号Ｓｔ(n)が供給されることとなる。
【００９０】
駆動部５４(n)は、図１５に示したように、表示走査部５２から供給された信号Ｓｄ(n)およびタッチ検出走査部５３から供給された信号Ｓｔ(n)の両方が高レベルのとき、走査信号Ｖscan(n)を高レベルにするとともに（図１５（Ｇ））、表示駆動信号Ｖcomdを駆動信号Ｖcom(n)として出力する（図１５（Ｈ））。具体的には、まずタイミングｔ５１〜ｔ５２において、信号Ｓｔ(n)のみが高レベルになったとき、論理和回路５７は、マスク信号Ｓmaskと同様の信号を信号Ｓeldとして出力し（図１５（Ｆ））、駆動スイッチ回路５８は、その信号Ｓeldに基づいてタッチ検出駆動信号Ｖcomtを生成し出力する（図１５（Ｈ））。次に、タイミングｔ５２〜ｔ５３において、信号Ｓｄ(n)が高レベルになると、ゲートバッファ５５は、信号Ｓｄ(n)に基づいて走査信号Ｖscan(n)を生成し出力する（図１５（Ｇ））。それと同時に、論理和回路５７は高レベルの信号を出力し（図１５（Ｆ））、駆動スイッチ回路５８は、交流駆動信号Ｖcomacを表示駆動信号Ｖcomdとして出力する（図１５（Ｈ））。すなわち、駆動部５４(n)は、表示駆動とタッチ検出駆動の両方の指示を受けた場合には、表示駆動を優先することにより、表示駆動の指示と解釈する。次に、タイミングｔ５３〜ｔ５４において、信号Ｓｄ(n)が低レベルになったとき、論理和回路５７は、信号Ｓｔ(n)が高レベルの期間のみ、マスク信号Ｓmaskと同様の信号を信号Ｓeldとして出力し（図１５（Ｆ））、駆動スイッチ回路５８は、その信号Ｓeldに基づいてタッチ検出駆動信号Ｖcomtを生成し出力する（図１５（Ｈ））。
【００９１】
（走査駆動部５０の詳細動作）
図１７は、走査駆動部５０のタッチ検出駆動動作の一例を表すものである。図１７に示したように、走査駆動部５０は、６本の隣接する駆動電極ＣＯＭＬ（例えば（ｎ−２）行目から（ｎ＋３）行目の駆動電極ＣＯＭＬ(n-2)〜ＣＯＭＬ(n+3)）に対してタッチ検出駆動信号Ｖcomt（例えば駆動信号Ｖcom(n-2）〜Ｖcom(n+3)）を印加する。そして、走査駆動部５０は、タッチ検出駆動信号Ｖcomtを印加する駆動電極ＣＯＭＬを１水平期間ごとに２本ずつシフトすることによりタッチ検出走査を行う。
【００９２】
図１８は、走査駆動部５０の表示駆動動作とタッチ検出駆動動作の一例を表すものであり、表示走査がタッチ検出走査に追い越される場合を示す。すなわち、図１８は、図１６において、タイミングＷ１付近の動作を示すものである。走査駆動部５０は、表示駆動の対象に係る駆動電極ＣＯＭＬに対して表示駆動信号Ｖcomdを印加するとともに、タッチ検出駆動の対象Ａに係る駆動電極ＣＯＭＬに対してタッチ検出駆動信号Ｖcomtを印加する。図１８において、斜線部は、表示駆動の対象に係る駆動電極ＣＯＭＬに印加された表示駆動信号Ｖcomdを示しており、その期間において、ソースドライバ１３が、その駆動電極ＣＯＭＬに対応する１水平ラインに対して画素信号Ｖpixを供給する。表示走査がタッチ検出走査に追い越される場合には、表示駆動の対象に係る駆動電極ＣＯＭＬとタッチ検出駆動の対象Ａに係る駆動電極ＣＯＭＬとが重なることとなる。このとき、走査駆動部５０は、表示駆動を優先するように動作し、図１８に示したように、駆動電極ＣＯＭＬに表示駆動信号Ｖcomdを印加する。
【００９３】
このように、タッチ検出機能付き表示装置１では、ソースドライバ１３が画素信号Ｖpixを印加している水平ラインに係る駆動電極ＣＯＭＬには、追い越し状態であるか否かにかかわらず表示駆動信号Ｖcomdが印加される。すなわち、タッチ検出機能付き表示装置１では、走査駆動部５０が表示駆動を優先するように動作するため、追い越し状態において、画素信号Ｖpixを印加している水平ラインに係る駆動電極ＣＯＭＬにタッチ検出駆動信号Ｖcomtが印加されることがない。これにより、追い越しに起因する表示の乱れを最低限に抑えることができる。
【００９４】
（比較例）
次に、本実施の形態の比較例に係る走査駆動部５０Ｒについて説明する。本比較例に係る走査駆動部５０Ｒは、本実施の形態に係る走査駆動部５０において、常に高レベルのマスク信号Ｓmaskを用いたものである。すなわち、走査駆動部５０Ｒが出力するタッチ検出駆動信号Ｖcomtrは、表示駆動信号Ｖcomdと同様の波形である。言い換えれば、走査駆動部５０Ｒは、表示駆動信号Ｖcomdをタッチ検出駆動信号Ｖcomtrとしても共用したものである。
【００９５】
図１９は、走査駆動部５０Ｒの表示駆動動作とタッチ検出駆動動作の一例を表すものであり、表示走査がタッチ検出走査に追い越される場合を示す。走査駆動部５０Ｒは、タッチ検出の対象となる駆動電極ＣＯＭＬに対して、表示駆動信号Ｖcomdと同様の波形を有するタッチ検出駆動信号Ｖcomtrを印加する。走査駆動部５０Ｒは、表示走査がタッチ検出走査に追い越される場合には、本実施の形態に係る走査駆動部５０と同様に、表示駆動を優先することにより、駆動電極ＣＯＭＬに対して表示駆動信号Ｖcomdを印加する。このとき、図１９に示したように、画素信号Ｖpixを印加している水平ラインに係る駆動電極ＣＯＭＬに隣接する駆動電極ＣＯＭＬには、直流駆動信号Ｖcomdcが印加されている場合と、タッチ検出信号Ｖcomtrが印加されている場合との両方が存在する。すなわち、隣接する駆動電極ＣＯＭＬには、追い越し状態でない場合では直流駆動信号Ｖcomdcが印加されるが（例えば波形Ｗ２）、追い越し状態の場合ではタッチ検出駆動信号Ｖcomtrが印加される（例えば波形Ｗ３）。
【００９６】
本比較例では、図１９に示したように、追い越し状態であるか否かによって、画素信号Ｖpixを印加している水平ラインに係る駆動電極ＣＯＭＬに隣接する駆動電極ＣＯＭＬの電圧レベルが異なる。この隣接する駆動電極ＣＯＭＬに印加されたタッチ検出駆動信号Ｖcomtrが、例えば寄生容量を介して、画素信号Ｖpixを印加している水平ラインに影響を与えることにより、その水平ラインの表示は、追い越し状態と、追い越し状態でない場合とで異なったものになるおそれがある。具体的には、追い越し状態において画素信号Ｖpixが印加された水平ラインが“すじ”のように見えるおそれがある。
【００９７】
一方、本実施の形態では、タッチ検出駆動信号Ｖcomtは、表示期間Ｔｄにおいて直流駆動信号Ｖcomdcになっている。つまり、表示期間Ｔｄでは、ソースドライバ１３が画素信号Ｖpixを印加している水平ラインに係る駆動電極ＣＯＭＬに隣接する駆動電極ＣＯＭＬには、追い越し状態であるか否かにかかわらず、常に直流駆動信号Ｖcomdcが印加される。よって、その水平ラインの表示は、追い越し状態であるか否かによって影響されることはないため、追い越しに起因する表示の乱れを最低限に抑えることができる。
【００９８】
［効果］
以上のように本実施の形態では、表示期間Ｔｄにおいて直流駆動信号Ｖcomdcになるタッチ検出駆動信号を用いたので、水平ラインの表示は、それに隣接する駆動電極に印加されたタッチ検出駆動信号による影響を最小限に抑えることができ、追い越し走査を行う際の表示の乱れを低減できる。
【００９９】
また、本実施の形態では、表示走査とタッチ検出走査を独立して行うことができるようにしたので、タッチ検出走査の走査速度を表示走査の走査速度よりも速くすることができ、タッチ検出の応答性能を改善することができる。
【０１００】
上記実施の形態では、走査駆動部５０が、６本の駆動電極ＣＯＭＬに対してタッチ検出駆動信号Ｖcomtを同時に印加したが、これに限定されるものではなく、これに代えて、例えば５本以下もしくは７本以上の駆動電極ＣＯＭＬに対してタッチ検出駆動信号Ｖcomtを同時に印加してもよい。
【０１０１】
上記実施の形態では、走査駆動部５０が、タッチ検出駆動信号Ｖcomtを印加する駆動電極ＣＯＭＬを１水平期間ごとに２本ずつシフトするようにしたが、これに限定されるものではなく、これに代えて、例えば１本ずつシフトしてもよいし、３本以上の所定本数ずつシフトしてもよい。
【０１０２】
＜３．適用例＞
次に、図２０〜図２４を参照して、上記実施の形態および変形例で説明したタッチ検出機能付き表示装置の適用例について説明する。上記実施の形態等のタッチ検出機能付き表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、上記実施の形態等のタッチ検出機能付き表示装置は、外部から入力された映像信号あるいは内部で生成した映像信号を、画像あるいは映像として表示するあらゆる分野の電子機器に適用することが可能である。
【０１０３】
（適用例１）
図２０は、上記実施の形態等のタッチ検出機能付き表示装置が適用されるテレビジョン装置の外観を表すものである。このテレビジョン装置は、例えば、フロントパネル５１１およびフィルターガラス５１２を含む映像表示画面部５１０を有しており、この映像表示画面部５１０は、上記実施の形態等に係るタッチ検出機能付き表示装置により構成されている。
【０１０４】
（適用例２）
図２１は、上記実施の形態等のタッチ検出機能付き表示装置が適用されるデジタルカメラの外観を表すものである。このデジタルカメラは、例えば、フラッシュ用の発光部５２１、表示部５２２、メニュースイッチ５２３およびシャッターボタン５２４を有しており、その表示部５２２は、上記実施の形態等に係るタッチ検出機能付き表示装置により構成されている。
【０１０５】
（適用例３）
図２２は、上記実施の形態等のタッチ検出機能付き表示装置が適用されるノート型パーソナルコンピュータの外観を表すものである。このノート型パーソナルコンピュータは、例えば、本体５３１、文字等の入力操作のためのキーボード５３２および画像を表示する表示部５３３を有しており、その表示部５３３は、上記実施の形態等に係るタッチ検出機能付き表示装置により構成されている。
【０１０６】
（適用例４）
図２３は、上記実施の形態等のタッチ検出機能付き表示装置が適用されるビデオカメラの外観を表すものである。このビデオカメラは、例えば、本体部５４１、この本体部５４１の前方側面に設けられた被写体撮影用のレンズ５４２、撮影時のスタート／ストップスイッチ５４３および表示部５４４を有している。そして、その表示部５４４は、上記実施の形態等に係るタッチ検出機能付き表示装置により構成されている。
【０１０７】
（適用例５）
図２４は、上記実施の形態等のタッチ検出機能付き表示装置が適用される携帯電話機の外観を表すものである。この携帯電話機は、例えば、上側筐体７１０と下側筐体７２０とを連結部（ヒンジ部）７３０で連結したものであり、ディスプレイ７４０、サブディスプレイ７５０、ピクチャーライト７６０およびカメラ７７０を有している。そのディスプレイ７４０またはサブディスプレイ７５０は、上記実施の形態等に係るタッチ検出機能付き表示装置により構成されている。
【０１０８】
以上、実施の形態および電子機器への適用例を挙げて本発明を説明したが、本発明はこれらの実施の形態等には限定されず、種々の変形が可能である。
【０１０９】
上記の実施の形態等では、ＴＮやＶＡ、ＥＣＢ等の各種モードの液晶を用いた液晶表示デバイス２０とタッチ検出デバイス３０とを一体化してタッチ検出機能付き表示デバイス１０を構成したが、これに代えて、ＦＦＳ（フリンジフィールドスイッチング）やＩＰＳ（インプレーンスイッチング）等の横電界モードの液晶を用いた液晶表示デバイスとタッチ検出デバイスとを一体化しても良い。例えば、横電界モードの液晶を用いた場合には、タッチ検出機能付き表示デバイス９０を、図２５に示したように構成可能である。この図は、タッチ検出機能付き表示デバイス９０の要部断面構造の一例を表すものであり、画素基板２Ｂと対向基板３Ｂとの間に液晶層６Ｂを挟持された状態を示している。その他の各部の名称や機能等は図５の場合と同様なので、説明を省略する。この例では、図５の場合とは異なり、表示用とタッチ検出用の双方に兼用される駆動電極ＣＯＭＬは、ＴＦＴ基板２１の直ぐ上に形成され、画素基板２Ｂの一部を構成する。駆動電極ＣＯＭＬの上方には、絶縁層２３を介して画素電極２２が配置される。この場合、駆動電極ＣＯＭＬとタッチ検出電極ＴＤＬとの間の、液晶層６Ｂをも含むすべての誘電体が容量Ｃ１の形成に寄与する。
【０１１０】
上記の実施の形態等では、タッチ検出走査を表示走査の２倍の速度で行うようにしたが、これに限定されるものではなく、追い越し走査をするものであれば、どのような速度であってもよい。例えば、図２６（Ａ）に示したように、タッチ検出走査を表示走査の３倍の速度で行ってもよいし、図２６（Ｂ）に示したように表示走査の４倍の速度でおこなってもよい。
【符号の説明】
【０１１１】
１…タッチ検出機能付き表示装置、２…画素基板、３…対向基板、６…液晶層、１０…タッチ検出機能付き表示デバイス、１１…制御部、１２…ゲートドライバ、１３…ソースドライバ、１４…駆動電極ドライバ、１５…駆動信号生成部、２０…液晶表示デバイス、２１…ＴＦＴ基板、２２…画素電極、３０…タッチ検出デバイス、３１…ガラス基板、３２…カラーフィルタ、３５…偏光板、４０…タッチ検出部、４２…アナログＬＰＦ部、４３…Ａ／Ｄ変換部、４４…信号処理部、４５…座標抽出部、４６…検出タイミング制御部、５０…走査駆動部、５１…走査制御部、５２…表示走査部、５３…タッチ検出走査部、５４…駆動部、５５…ゲートバッファ、５６…論理積回路、５７…論理和回路、５８…駆動スイッチ回路、Ａ…タッチ検出駆動の対象、ＣＯＭＬ…駆動電極、Ｃｐ１〜Ｃｐ４…寄生容量、ＧＣＬ…走査信号線、ＬＣ…液晶素子、Ｐix…画素、Ｐ１…パルス部分、Ｐ２…直流部分、Ｒ…抵抗、Ｓcand…表示走査、Ｓcant…タッチ検出走査、Ｓｄ，Ｓeld，Ｓｔ…信号、ＳＧＬ…画素信号線、Ｓmask…マスク信号、Ｔｄ…表示期間、ＴＤＬ…タッチ検出電極、Ｔｒ…ＴＦＴ素子、Ｔｔ…タッチ検出期間、Ｖcom…駆動信号、Ｖcomd…表示駆動信号、Ｖcomac…交流駆動信号、Ｖcomdc…直流駆動信号、Ｖcomt…タッチ検出駆動信号、Ｖdet…タッチ検出信号、Ｖpix…画素信号、Ｖscan…走査信号。
【図１】
0005424347.tif 000002
【図２】
0005424347.tif 000003
【図３】
0005424347.tif 000004
【図４】
0005424347.tif 000005
【図５】
0005424347.tif 000006
【図６】
0005424347.tif 000007
【図７】
0005424347.tif 000008
【図８】
0005424347.tif 000009
【図９】
0005424347.tif 000010
【図１０】
0005424347.tif 000011
【図１１】
0005424347.tif 000012
【図１２】
0005424347.tif 000013
【図１３】
0005424347.tif 000014
【図１４】
0005424347.tif 000015
【図１５】
0005424347.tif 000016
【図１６】
0005424347.tif 000017
【図１７】
0005424347.tif 000018
【図１８】
0005424347.tif 000019
【図１９】
0005424347.tif 000020
【図２０】
0005424347.tif 000021
【図２１】
0005424347.tif 000022
【図２２】
0005424347.tif 000023
【図２３】
0005424347.tif 000024
【図２４】
0005424347.tif 000025
【図２５】
0005424347.tif 000026
【図２６】
0005424347.tif 000027